(57)【要約】【課題】  企業ビル等の施設において、フロア単位で使用目的が異なる場合に、フロア単位で電力需要に応じた電力分配を行うことで、需要の低いフロアの余剰電力を需要の高いフロアに分配可能な電力分配装置を供給する。【解決手段】  全フロアへ供給可能な総電流量と各フロアでの消費電流量に基づき各フロアへの供給電流量を制御する中央制御部と、配置されたフロアで消費されている消費電流量を監視し、消費電流量を中央制御部へ送信するフロア装置を備え、フロア装置が配置されたフロアへの供給電流量の変更を要求する入力が可能であることを特徴としている。【選択図】      図１
2014187792.tif 000002
【特許請求の範囲】
【請求項１】
全フロアへ供給可能な総電流量と各フロアでの消費電流量に基づき各フロアへの供給電流量を制御する中央制御部と、
配置されたフロアで消費されている消費電流量を監視し、前記消費電流量を前記中央制御部へ送信するフロア装置を備え、
前記フロア装置において前記フロア装置が配置されたフロアへの供給電流量の変更を要求する入力が可能であることを特徴とする電力分配装置。
【請求項２】
前記フロア装置は前記フロア装置が配置されたフロアで消費されている消費電流量と前記フロアに対して設定されている電流量を表示することを特徴とする請求項１に記載の電力分配装置。
【請求項３】
前記フロア装置は前記全フロアへ供給可能な総電流量と全フロアで使用されている総電流量を表示する請求項１または２に記載の電力分配装置。
【請求項４】
前記供給電流量の変更要求入力が実行された場合、前記中央制御部は前記供給可能な総電流量に基づき各フロアへの供給電流量を再設定することを特徴とする請求項１から３のいずれかに記載の電力分配装置。
【請求項５】
前記フロア装置には前記フロア装置が設置されるフロアに常に供給されるべき電力量の設定入力が可能である請求項１から４のいずれかに記載の電力分配装置。
【請求項６】
前記中央制御部はネットワークを介して受信したフロア、前記フロアへの供給電流量、供給日、供給時間帯に基づき、電流量を制御することが可能である請求項１からの５のいずれかに記載の電力分配装置。
【請求項７】
前記ネットワークを介して、前記フロアへの供給電流量、供給日、供給時間帯に基づき、電流量を制御することが可能な予約装置を有することを特徴とする請求項６に記載の電力分配装置。
【発明の詳細な説明】
【技術分野】
【０００１】
本発明は、電力分配装置に関し、特に、フロア毎に電力を分配する電力分配装置に関する。
【背景技術】
【０００２】
オフィスビルが建設される場合、ビル全体が要求する総電力量および各フロアに供給される電力量が予め想定され、この想定に基づいて電力供給に関連する装置の設置および電気配線工事が実施される。ビルが建設された後、各オフィスフロアには、所定の人員が在籍し、必要な事務機器、コンピュータなどが設置され、予定された電力消費が行われる。しかし、各フロアには、ビル建設当初とは異なる企業または異なる業務形態の事業部門が入居してくる場合がある。一方、当初から入居している企業にあっても、業務の形態、在籍人員の変動がありえる。この場合、当初フロアごとに設定されていた電力供給量がそのフロアで行われる業務とマッチしなくなる場合がある。
【０００３】
この様な場合、簡易に供給電力量の変更が可能であることが望ましい。電力の供給制御に関しては特許文献１−４に見られるようにさまざまな技術が開示されている。
【先行技術文献】
【特許文献】
【０００４】
【特許文献１】特開２０００−２７６６８４号公報
【特許文献２】特開２００５−２２９６５９号公報
【特許文献３】特開２００９−１６５２５４号公報
【特許文献４】特開２０１２−１６８６８９号公報
【発明の概要】
【発明が解決しようとする課題】
【０００５】
上述のように、ビル建設当初に設定された各フロアへの電力供給を、その変更使用とする場合、新たな電気配線工事や配電設備の設置が必要となる。このためには新たなコストも発生する。したがって、容易に各フロアへの供給電力の変更を行うことは困難である場合が多い。特許文献１−４もこのような課題の解決を示唆するものではない。
【０００６】
本発明の目的は、上述した課題を解決する電力分配装置を提供することにある。
【課題を解決するための手段】
【０００７】
上記課題を解決するため、本発明は、全フロアへ供給可能な総電流量と各フロアでの消費電流量に基づき各フロアへの供給電流量を制御する中央制御部と、配置されたフロアで消費されている消費電流量を監視し、消費電流量を中央制御部へ送信するフロア装置を備え、フロア装置においてフロア装置が配置されたフロアへの供給電流量の変更を要求する入力が可能であることを特徴としている。
【発明の効果】
【０００８】
本発明は、ビル等施設のフロア単位でそのフロアの電力需要に応じた電力分配を行う。このため、電力需要の高いフロアに優先的に電力を分配することが可能となり、施設全体として必要となる総電力量の上限を抑えることができるという効果がある。
【図面の簡単な説明】
【０００９】
【図１】本発明の第１の実施の形態における電力分配装置の構成例を示すブロック図である。
【図２】本発明の第１の実施の形態における電力分配装置の詳細な構成例を示すブロック図である。
【図３】本発明の第１の実施の形態におけるフロア装置の表示例を示す図である。
【図４】本発明の第２の実施の形態における電力分配装置の構成例を示すブロック図である。
【発明を実施するための形態】
【００１０】
以下、本発明の実施の形態について図面を参照して詳細に説明する。
（第１の実施の形態）
図１は、本発明の第１の実施の形態における電力分配装置の構成例を示すブロック図である。
【００１１】
図１において、電力分配装置１０は、中央制御部１０１とフロア装置１０３を備える。中央制御部１０１は、初期設定に基づき各フロアへ所定の電力を供給し、また各フロアの電流使用状況に応じて随時各フロアへの電流供給量を所定時間ごとに設定することができる。また各フロアに設置されるフロア装置１０３からの消費電流量の入力に応じて各フロアへの電力供給を再設定する。このとき中央制御部１０１は、電流経路切替部（図示せず）を制御して供給電流値を変更する。
【００１２】
図２は、本発明の第１の実施の形態における電力分配装置の詳細な構成例を示すブロック図である。
【００１３】
各フロアへ供給される電流量は、中央制御部１０１により設定され、設定電流量に応じて電流経路切替部１０２を通じて各フロアへ分配されている。電流経路切替部１０２は、既存分電盤からの電流を中央制御部１０１の制御に応じて経路切替を行う。
【００１４】
フロア装置１０３は、現在のフロア電力（電流）使用量を監視し、この使用量を中央制御部１０１へ送信し、またこの使用量をモニタ表示する。各フロアの利用者は、フロア装置１０３のモニタ表示にて現在の電力使用量を確認し、利用状況に応じて設定電流量の変更要求が可能である。
【００１５】
図２、図３を用いて、本発明の第１の実施の形態における動作の説明をする。
【００１６】
図３は、本発明の第１の実施の形態におけるフロア装置の表示例を示す図である。
【００１７】
各フロアの利用者はフロア装置１０３のモニタ表示より、現在の自フロアの設定電流量、使用量が確認可能である。図３の例ではＡ室の設定電流量（２０Ａ）に現在の使用電流量（１８Ａ）が近づいている。フロア利用者は、全フロアで使用されている電流量が８０Ａであるのに対して契約総電流量が１２０Ａであるため、設定電流量を２０Ａから３０Ａへ変更することが可能である。
【００１８】
設定変更の要求を受けたフロア装置１０３は、中央制御部１０１へ設定電流量の変更要求を伝送する。
【００１９】
中央制御部１０１は、全フロアの電力使用状況から利用可能な電力量を算出し、要求された設定変更が可能と判定するとフロアＡの設定電流量の再設定を行う。中央制御部１０１は電流経路切替部１０２の切替を行い、変更した設定電流量をフロアＡへ供給するよう制御する。
【００２０】
中央制御部１０１は、現在の電力消費量が総契約量へ迫っている場合は、事前に設定されている優先度の低いフロアから電流の供給を停止することも可能である。また、フロアの利用者はそのフロアへ常に供給されることを希望する一定範囲内の電流量をフロア装置１０３へ入力することができる。この場合中央制御部１０１は電流供給を停止しない。
【００２１】
上記のように、本発明によれば、ビル等施設のフロア単位で電力需要に応じた電力分配を自動またはマニュアルで行うことにより、需要の低いフロアの余剰電力を需要の高いフロアに分配することが可能となり、施設全体として必要となる総電力量の上限を抑えることが可能となる。
（第２の実施の形態）
図４は、本発明の第２の実施の形態における電力分配装置の構成例を示すブロック図である。
【００２２】
図４において、電力分配装置２０は、中央制御部２０１とフロア装置２０３と予約装置２０４を備える。中央制御部２０１は、フロア装置２０３から入力される消費電流量や入力信号により制御され、電流経路切替部（図示せず）を制御して電流値を調整する。予約装置２０４は、施設内のネットワークを介して、中央制御部２０１に接続されている。予約装置２０４は、ネットワークに接続可能であれば、パソコン等の端末でも良い。
【００２３】
予約装置２０４は、予約対象フロア以外の別の場所に位置している利用者が予約対象フロアを予約する場合に用いられる。予約が可能な利用者は、必要な個人認証、パスワードなどによって、要求を送信することが可能であり、事前に利用希望のフロアと使用希望電流量、利用時間を予約することができる。予約装置２０４は、これらの情報を中央制御部１０１へ伝送する。中央制御部１０１は、予約装置２０４からの情報を受け、予約時間内に予約電流量が使用可能となるよう調整を行う。
【００２４】
予約装置２０４を対象の施設以外に設置すれば、インターネットを介して対象の施設の中の予約対象フロアに対して予約することも可能である。
【００２５】
上記のように、本発明によれば、ビル等施設のフロア単位で予約に応じて電力分配を行うことが可能となる。電力を需要のあるフロアのみに分配することが可能となり、施設全体として必要となる総電力量の上限を抑えることが可能となる。
【００２６】
尚、本願発明は、上述の実施の形態に限定されるものではなく、本願発明の要旨を逸脱しない範囲で種々変更、変形して実施することができる。
【産業上の利用可能性】
【００２７】
本発明は、ビル等施設のフロア単位での電力分配装置に利用可能である。
【符号の説明】
【００２８】
１０    電力分配装置
２０    電力分配装置
１０１    中央制御部
１０２    電流経路切替部
１０３    フロア装置
２０１    中央制御部
２０３    フロア装置
２０４    予約装置
【図１】
2014187792.tif 000003
【図２】
2014187792.tif 000004
【図３】
2014187792.tif 000005
【図４】
2014187792.tif 000006